(57)【要約】【課題】デコレーションを施したネイルアートを誰でも手軽に楽しむことができるように、各自の固有の付け爪パーツを用意し、デコレーション情報に基づいてパーツデコレーションを形成できる３Ｄネイルアートモデリング技術の提供。【解決手段】各自の指の爪を撮影して爪画像を得、取得された爪画像に基づいて、爪の形状、爪の位置、爪の曲率等の付け爪作成に必要な爪情報を得、これを記憶し、この爪情報に基づいて付け爪パーツを作成し、この付け爪パーツに装飾用情報を選択し印刷する工程を含み、該所望のデザインに装飾された付け爪パーツを所定の前処理で保護膜を形成後接着具を介して脱着可能に付け爪を貼設する３Ｄネイルアートモデリング技術を提供する。【選択図】図３Ａ
2017018158.tif 000002
【特許請求の範囲】
【請求項１】
３Ｄ撮像装置を用いて各自の指の爪を撮影して爪画像を得、取得された前記爪画像に基づいて、爪の形状、爪の位置、爪の曲率の付け爪作成に必要な３Ｄモデリング情報を検出し、この３Ｄモデリングネイルアート情報を記憶蓄積しておく工程と、
前記３Ｄモデリングネイルアート情報に基づいて付け爪パーツを作成する工程と、
インターネットを介して装飾用情報を選択し、この付け爪パーツに装飾用情報を印刷する工程を含み、
該所望のデザインに装飾された付け爪パーツをアグリカンを主成分とする、又はアグリカン及びゆず抽出液を主成分とする接着前処理剤で処理して保護膜を形成した後接着具を介して脱着可能に付け爪に貼設することを特徴とする３Ｄネイルアートモデリング方法。
【請求項２】
３Ｄネイルアートモデリングに用いる付け爪パーツを爪に着脱可能に取り付ける接着具が、両面テープ又は柔軟性材料から製造され、付け爪パーツの爪側裏面に一体的に取り付けられ、付け爪パーツの爪側への押し付けによる吸盤内部の減圧化により爪側に吸着可能となる吸盤である請求項１記載の３Ｄネイルアートモデリング方法。
【発明の詳細な説明】
【技術分野】
【０００１】
本発明は、自宅で簡単に実行できる３Ｄネイルアートモデリング方法に関するものである。
【背景技術】
【０００２】
従来、人の指の爪部の表面に色や絵柄等のデザイン画像を印刷する印刷装置であるネイルプリント装置が知られており（特許文献１）、このような装置を用いれば、ネイルサロン等を利用することなく、簡易にネイルアートを楽しむことができる。しかしながら、付け爪パーツを各自の指に確実に取り付けると剥がれにくく、何度も剥離剤を使うと爪を痛める。また、長く同じネイルアートを使い続けるのはおしゃれでないことから、ＴＰＯに応じて異なるネイルアートを用いることが望ましい。そこで、手や足の爪から容易に剥離することができる人工爪組成物及びそれの除去方法が提案されている（特許文献２）。
【先行技術文献】
【特許文献】
【０００３】
【特許文献１】特表２００３−５３４０８３号公報
【特許文献２】特開２０１４−２０４７７５号公報
【発明の概要】
【発明が解決しようとする課題】
【０００４】
ところが、従来の除去方法では除去剤が爪表面の悪影響を与えやすく、自分で頻繁にネイルアートのデザインを変更するのは困難である。そこで、現状ではネイルサロン等で施される爪表面の保護処理を施しながらネイルアートのデザイン変更を行うのが常であり、ネイルアートのデザインの変更を容易にするためには爪を痛めない方法の提供が望まれる。
【０００５】
また、顧客が何度もネイルサロンに出かけなくとも好きなデザインのアートを自宅で、ネイルサロンで施されるようなデコレーションをしたい場合には、ネイルプリント後に、ユーザが自分でパーツの配置等を考え、貼り付けを行なう必要があり、このようなデコレーションをユーザが自分で施そうとすると、パーツを貼り付ける位置が分からなかったり、どのようなパーツを選択して貼り付ければよいかが判断できない場合があるので、写真等の見本を見ながらネイルアートを再現しようとする場合は、従来は見本と見比べながら自爪にパーツを配置していくしかなかったが、何の目印もない爪に対して見本と同じ位置にラインストーン等の装飾用のパーツを貼り付けるのは困難である。
【０００６】
本発明は以上のような事情に鑑みてなされたものであり、デコレーションを施したネイルアートを誰でも手軽に楽しむことができるように、ユーザからの３Ｄネイルアートモデリング情報に基づいてパーツとそれに見合う装飾情報を含めて供給でき、自宅でＴＰＯに応じて異なるネイルアートを容易に用いることのできるネイルアートモデリング方法を提供することを目的とするものである。
【課題を解決するための手段】
【０００７】
本発明は、第１に付け爪の脱着を容易とする装着剤及び装着具を提供するだけなく、第２に顧客と業者とをインターネットで接続し、ネイルアートモデリング情報を送って付け爪の作成を図るとともに、ネイルアートモデリング情報を蓄積すると同時に、インターネットを介して装飾情報を選択させ、選択される装飾情報に基づいて提供される付け爪に自宅でプリンター装置でプリントできればデコレーションを施したネイルアートを自宅で手軽に楽しむことができることに着目してなされたもので、各自の固有の指の爪を撮影して爪画像を得、取得された前記爪画像に基づいて、爪の形状、爪の位置、爪の曲率の付け爪作成に必要なネイルアートモデリング情報として検出し、この爪情報を記憶蓄積しておく工程と、前記爪情報にこの爪情報に基づいて付け爪パーツを作成し、ユーザに提供する工程と、ユーザはインターネットを介して装飾用情報を選択し、この付け爪パーツに装飾用情報を印刷する工程を含み、該所望のデザインに装飾された付け爪パーツを所定の接着前処理、即ちアグリカンを主成分とする、又はアグリカン及びゆず抽出液を主成分とする接着前処理剤で処理した後、接着具を介して脱着可能に爪部に貼設することを特徴とする３Ｄネイルアートモデリング方法にある。
【発明の効果】
【０００８】
本発明によれば、顧客は業者との間でインターネットで接続して３Ｄネイルアートモデリング情報を送って付け爪の作成を図ると同時に、爪情報を蓄積しているので、インターネットを介して装飾情報を選択し、前以て作成した付け爪に、提供される装飾情報に基づいて自宅でプリンター装置でプリントすれば、爪の上に配置される装飾用の情報を印刷することができるため、ユーザが、デザインにあったパーツの貼り付け位置等に迷うことがなく、デコレーションを施したネイルアートを誰でも手軽に楽しむことができる。また、アグリカン及びゆず抽出液を主成分とする３前処理剤を使用するので、両面テープ又は、柔軟性材料から製造され、付け爪パーツの爪側裏面に一体的に取り付けられ、付け爪パーツの爪側への押し付けによる吸盤内部の減圧化により爪側に吸着可能とする吸盤を用いて確実に取り付けることができ、爪に影響を与えることなく、何度でも付け爪のデザイン変更を行うことができるので、付け爪アートを楽しむことができる。
【図面の簡単な説明】
【０００９】
【図１】自宅又は町の撮像所（写真屋）に設置される３Ｄカメラ（Ｋｉｎｅｃｔ）の外観例を示す斜視図。
【図２Ａ】図１のＫｉｎｅｃｔで対象物の撮影を行う３Ｄデータの処理プログラム。
【図２Ｂ】撮影した３ＤデータをＰＣＬにより結合する処理プログラム。
【図２Ｃ】特定の指を右側及び左側から撮影して統合処理する概念図。
【図２Ｄ】ユーザがＫｉｎｅｃｔ撮像所で指撮像し、そのデータを処理して付け爪を造形するビジネスモデル図である。
【図３Ａ】本発明の付け爪を装着した状態を示す側面図。
【図３Ｂ】図３Ａの要部拡大図。
【図４】ネイルプリント装置の斜視図。
【図５】ネイルプリント装置への指挿入状態を示す側断面図。
【図６】装飾指爪挿入部に挿入された指と撮影部、印刷部との関係を模式的に示す要部断面図である。
【図７】本実施形態に係るネイルプリント装置の制御構成を示した要部ブロック図である。
【発明を実施するための形態】
【００１０】
以下、添付図面を参照しつつ、本発明に係る３Ｄネイルアートモディング方法の一実施形態について説明する。なお、以下に述べる実施形態には、本発明を実施するために技術的に好ましい種々の限定が付されているが、本発明の範囲を以下の実施形態及び図示例に限定するものではない。
【実施例】
【００１１】
（Ａ）３Ｄネイルアートモデリング情報の取得
３次元スキャナで被写体（爪画像）の立体形状の生データを入力してからメカニカルＣＡＤで加工可能な完全な付け爪パーツを作成するまでのプロセスは、一般に１．３Ｄスキャナによる形状入力、２．３次元点群データの獲得、３．複数視点からの３次元点群データの位置あわせ、４．取得した３次元点群データのメッシュ化、５．パラメトリックソリッドモデルの作成の手順により作成される。この処理をＫｉｎｅｃｔ（米国Microsoft社のヒューマンインターフェイスデバイス）で立体形状を表す３次元点群を獲得し、ＰＣＬ（Point Cloud Library）という３次元点群を処理するオープンソースソフトウェアライブラリを用いて上記３次元点群を処理し、最終的に３次元モデルを生成する。詳しくは以下の通りである。
【００１２】
３ＤスキャナとしてＫｉｎｅｃｔを使用すると、カラー画像とデプス画像とから３次元点群データを獲得することができる。このとき実空間での水平垂直位置を三角関数によって求める。また、カラー画像とデプス画像の取得範囲が違うために３次元点群データはデプス画像とカラー画像の取得範囲が被さっている部分のみを取得する。３次元点群処理では例えば、ＰＣＬを使用する。ここでは、はずれ値フイルタリングでノイズを除去し、ボクセルグリッドフィルタリングでデータ数を低減し、ダウンサンプリングを行うことでその後の処理を高速化する。次にフィルタリングを行った３次元点群データを用意し、位置あわせを行った後、例えば、ＳＡＣ−ＩＡによって初期位置合わせを行うことで対応する点の距離を近づけ、ＩＣＰアルゴリズムにより高精度な位置合わせを行う。以下、ＫｉｎｅｃｔとＰＣＬを用い、複数視点から見た３次元点群データを取得して統合を行う。
【００１３】
１．３Ｄスキャナによる形状入力
非接触型３次元測定装置としてＫｉｎｅｃｔが利用される。Ｋｉｎｅｃｔは図１に示すように、マイクとともに、ＲＧＢカメラ２と深度センサ３を有する３Ｄスキャナ１であって、マイクロソフトが製品化したものである。Ｋｉｎｅｃｔで取得したカラー画像とデプス画像を整列させ、３次元点群データに変換する。立体物の形状を取得したデプス画像を実空間での３次元座標に変換するとともにデプス画像とカラー画像を統合させる。
【００１４】
２．デプス画像から３次元点群データへの変換
Ｋｉｎｅｃｔの深度センサの出力は画像データ、すなわちデプス画像である。Ｋｉｎｅｃｔのデプス画像は６４０×４８０画素で、各画素は１３ビットの精度を有する。画素の数値は深度センサから被写体表面までの置く油脂をｍｍ単位で表したものである。画像データの各画素は被写体上の１点に対応している。したがって、深度センサを中心とする３次元座標系において水平方向（Ｘ軸）、垂直方向（Ｙ軸）、奥行き方向（Ｚ軸）の座標値を計算する。この中で画素の数値はＺ軸の値に相当する。Ｘ軸、Ｙ軸の座標値は、画像座標と深度センサの視野角および奥行き（Ｚ値）から求める。Ｋｉｎｅｃｔの深度センサから得られるのは被写体からセンサまでの奥行きである。センサから被写体までの水平垂直位置は画素単位で取得する。画素単位の座標とＫｉｎｅｃｔの視野角、距離から、三角関数を用い水平垂直位置の実寸を求める。
【００１５】
３．カラー画像とデプス画像の整列
図１はＫｉｎｅｃｔに示すように、ＲＧＢカメラ２と深度センサ３の搭載位置がずれているため、視差による取得データにずれを生ずる。よって、対応する座標位置を合わせる必要がある。
【００１６】
以上の、複数の３次元点群データの取得を図２Ａに示すＫｉｎｅｃｔを用いるステップで行い、これらの複数の点群データの統合を図２Ｂに示すＰＣＬのステップによって行う。被写体が付け爪を施す指である場合の左、中央、右と複数の撮像データの統合する場合は、図２Ｃに示すように撮像データの重なり部分を処理する必要がある。
【００１７】
ついで、ＰＣＬによる３次元点群データの処理について説明する。
図２ＢにおけるＰＣＬによる３次元点群データの処理は次の処理を行う。
１.ＰＣＬとはPoint Cloud Libraryの略であり、３次元点群データを扱うことのできるオープンソースソフトウェアである。Ｋｉｎｅｃｔによって取得したデータをＰＣＬにて処理するが、取得データをｐｃｄ形式に変換してＰＣＬで扱う。
２．はずれ値フィルタ
一定以上の誤差を保持する点の除去を行うことをいう。
３．ボクセルグリッドフィルタ
点群の密度を下げてもよい場合にはフィルタリングを行う。
４．初期位置合わせ
Ｋｉｎｅｃｔによる一回測定で得られる3次元データは、測定対象物の一部分の形状を現しているに過ぎない。立体物の完全な３次元データを取得するためには複数の視点好ましくは左右から取得した3次元点群データを一つに統合する必要がある。ただ、複数の点群データをそれぞれ独立に取得した場合、それらの位置関係を知ることができない。そのため、位置合わせを下記のような順序で行う。
（１）ＳＡＣ−ＩＡ（Sample Consensus Initial Alignment）によって初期の位置合わせを行う。
（２）ＩＣＰアルゴリズムを用いた3次元点群データ間の高精度の位置合わせ
（３）ＭＬＳ（Moving Least Squares）アルゴリズムで重なり部分のダブルウオールを解消する。
（４）立体形状を表す点群データにＧＰＴ（Greedy projection Triangulation）でメッシュ化
（５）複数の視点から見た3次元点群データを合成し、３次元モデルを完成。
【００１８】
（Ｂ）付け爪パーツの作成
本発明におけるネイルアートは、図２Ｄに示すビジネスモデル図のように、ユーザは自宅又は町のＫｉｎｅｃｔ撮像所（写真屋）で３Ｄスキャナで被写体の形状入力を取得し、写真屋さんで３Ｄモデルデータを作成し、画面表示して確認し、このデータをデータ処理業者（ＰＣＬ処理業者）に送信して、ＰＣＬ処理により処理しきれていない部分を手作業で補正し、３Ｄモデルデータを修正してもらう。その３Ｄモデルデータをオーダメイドの付け爪業者、などの３Ｄモデル利用業者（ネイルアート会社）に送信して提供されるようにネットワークが組まれる。したがって、町の写真屋さんの３Ｄ撮影室において、一台又は複数の３Ｄスキャナ１０を配備して図２Ｃに示すように、被写体の右側及び左側を撮影して被写体の３Ｄ形状データを撮影する。各３Ｄスキャナで取得した形状入力をＰＣＬを用いて結合する。これを処理業者に送信し、ＰＣＬで処理しきれていない部分の補正を手作業で行う。３次元点群データの獲得し、複数視点からの３次元点群データの位置あわせ、取得した３次元点群データのメッシュ化をしてパラメトリックソリッドモデルのデータは補正された後、モデルのデータを利用業者に送信し、最終的に業者はこの３Ｄデータに基づいて付け爪パーツの作成を行う。
【００１９】
（Ｃ１）付け爪の接着前処理
本実施例では装飾前の付け爪を次のネイルオフ液を用いて前処理し、両面テープ又は真空パッドを用いて固定する。
【００２０】
（ネイルオフ液の調整）
＜アグリカンの単離と調製＞
アグリカンはプロテオグルカンの１種であり、次のように単離、調整した。
サケ鼻軟骨をスライスし、サケ軟骨組織の約１０倍溶の０．１％クエン酸水溶液を添加し、室温にて２４時間浸漬してアグリカンを抽出した。その後、サケ軟骨組織を含む浸漬液を、ガーゼを７枚重ねたもので濾過し、組織片を除去した。得られた濾液をプラスチックビーズカラムに通して混在する脂質を除去した。カラムからの溶出液を回収し、分子量１００万カットのメンブランを装着した限外濾過装置にかけ、分子量１００万以下の分子を濾液として回収した。得られた濾液を分子量１０万カットのメンブランを装着した限外濾過装置にかけ、分子量１０万以下の分子を除去した。必要に応じて、上記の工程を繰り返した。得られた濃縮液に食塩飽和エタノールを加えてアグリカンを沈殿させた。この方法によるアグリカンの収量は１．０％〜２．０％であった。なお、アグリカンの収量は、出発物質であるサケ鼻軟骨の総重量に対する、最終的に得られたアグリカンの重量の割合（％）で表した。
【００２１】
得られたアグリカンの精製度は、ＨＰＬＣ及びセルロースアセテート膜電気泳動によって確認した。ＨＰＬＣ分析の条件を以下に示す。
カラム：ＴＯＳＯＨ  ＴＳＫ‐ｇｅｌ  Ｇ５０００Ｐ−ＷＸＬカラム  ＋  ＴＳＫ  ｇｕａｒｄ  ｃｏｌｕｍｎ（東ソー社製）
溶出：０．２Ｍ  ＮａＣｌ
流速：０．５ｍＬ／ｍｉｎ  ３０℃
検出：ＵＶ−ＶＩＳ検出器（２１５ｎｍ）
【００２２】
＜柚子抽出液の調製＞
以下の操作は全て無菌的に行った。柚子種子１ｋｇを４Ｌの硝子容器に移し、６０％エタノール２００ｍＬを加えて充分振盪した後、室温で１時間浸漬した。滅菌済み蒸留水を３００ｍＬ加えて充分振盪した後、室温にて１日浸漬させた。この時のエタノール濃度は約２４％である。その後、濾過して種子を除き、濾液を回収した（濾液１）。残った種子に、２４％アルコールを５００ｍＬ添加し、充分振盪した後、１日室温にて浸漬した。その後、濾過して種子片を除き、濾液を回収した（濾液２）。濾液１及び２を合わせて柚子（種子）抽出液とし、４℃で保存した。残った種子片に対して、１０〜２０％エタノール５００ｍＬを添加し、３度目の抽出行った。３〜７日間、暗所、室温にて時々振盪しながら抽出を行った。その後、濾過して種子片を除き、濾液を回収し４℃で保存した（約５００ｍＬ：濾液３）。
【００２３】
上記柚子抽出液と上記０．１％アグリカンエタノール抽出液を以下の比率で混合してネイルオフ液を調整する一方、０．１％アグリカンエタノール抽出液のみを使用したネイルオフ液を調整し、両者を比較した。
【００２４】
【表１】
2017018158.tif 000003
【００２５】
上記ネイルオフ液のアルコール度は５．６％になるが、指先に０．１ｍＬ(アルコールとして指先あたり５．６μＬ)程度を塗布するので十分なので、刺激性についての心配はない（消毒用アルコール噴霧の方が格段に高いアルコール量となる）。ネイルオフ液を指先に塗布すると、１分程度で体温と周囲の空気により容易に乾燥してフィルムを形成する。このネイルオフ液によるフィルムは、爪及び手指を保護し、ネイルオフの際に使用するアセトンからの侵襲を防ぐことができる。したがって、本発明品では比較品に比して爪の周囲の肌が傷まず、爪のツヤもよかった。
【００２６】
（Ｃ２）ネイルオフ液を塗布した爪表面に図３Ａ，Ｂに示す柔軟性のある粘性ゴムで製造した皿状の真空パッドＰを裏面に装着したネイルアートパーツ（付け爪）Ｔを装着した。真空パッドＰを３Ｄプリンターを使用して爪の形状、特性に合わせて作成することにより真空度の高いパッドを作成することができ、安定した装着性能をえることができる。上記真空パッドに代えて両面テープを用いて付け爪を装着固定してもよい。
【００２７】
（Ｄ）付け爪パーツへの装飾工程
付け爪パーツへの装飾には特開２０１４−１１７４５５号記載のネイルプリント装置を使用することができる。図４は、その全体斜視図、図５は内部構成を示す斜視図である。ネイルプリント装置１０は、装飾用のパーツの配置情報を含んだ印刷を行うことが可能に構成されたものである。ここで、「装飾用のパーツ」とは、ネイルプリント装置１０による付け爪Ｔへの印刷処理後にユーザが爪の上に貼り付けて付け爪Ｔをデコレーションするためのパーツであり、例えば、ラインストーンや、貴石、半貴石等の天然石、シール、ビーズ等を適用することができる。
【００２８】
図４に示すように、このネイルプリント装置１０は、ケース本体１２及び蓋体１４を備え、蓋体１４は、ケース本体１２の上面（天板）の後端部に設けたヒンジ１３を介して、ケース本体１２に回動可能に連結されている。ケース本体１２の上面（天板）には操作部１１２が設置されている。例えば表示部１１３にネイルデザインを選択するための図示しないデザイン選択画面が表示されるようになっており、ユーザが所望のネイルデザインを操作釦１２１によって選択することにより、印刷されるネイルデザインが選択される。また、印刷モードとして、ネイルデザイン自体を印刷する「通常モード」の他に、装飾用のパーツの配置情報を含んだ印刷を行うことができる「貼り付け目安モード」を選択可能となっており、ユーザは操作釦１２１を操作することで、いずれか所望の印刷モードを選択することができるようになっている。また、本実施形態では、装飾用のパーツの配置情報を含んだ印刷を行う印刷モードが選択された場合には、操作釦１２１を操作することで、装飾用のパーツに対応する部分の色をユーザが設定することができるようになっている。
【００２９】
また、ケース本体１２の上面（天板）のほぼ中央部には表示部１１３が設置され、表示部１１３は、例えば液晶ディスプレイ（ＬＣＤ：Liquid Crystal Display）、その他のフラットディスプレイ等で構成されている。この表示部１１３には、例えば、装飾指爪Ｕ１を撮影した画像（以下「指画像」という。）、この指画像中に含まれる爪画像（爪Ｔの輪郭線等の画像）、爪Ｔに印刷すべき画像を選択するためのデザイン選択画面、デザイン確認用のサムネイル画像、各種の指示を表示させる指示画面等が適宜に表示される。
【００３０】
装飾指爪固定部１２０は、装飾指爪挿入部１２０ａ、非装飾指爪挿入部１２０ｂ及び掴み部１２０ｃが設けられており、装飾指爪挿入部１２０ａは、印刷対象である爪Ｔに対応する指（以下「装飾指爪Ｕ１」という）を挿入するめための指挿入部である（図４参照）。装飾指爪挿入部１２０ａの底面（掴み部１２０ｃの上面）は、付け爪装着装飾指爪Ｕ１を載置する指載置部（装飾指爪載置面）として機能する。装飾指爪Ｕ１の撮影や印刷等は、装飾指爪Ｕ１がこの指載置部としての装飾指爪挿入部１２０ａの装飾指爪載置面（掴み部１２０ｃの上面）に載置された状態で行われる。
【００３１】
また、図６は、ネイルプリント装置１００の側断面図で、装飾指爪挿入部２０ａに載置された装飾指爪Ｕ１と、撮影部３０、印刷部４０との位置関係を示す。撮影部３０は、には基板３１が設置されており、この基板３１の中央部下面には、撮像装置としてのカメラ３２が設置されている。カメラ３２としては、図１のＫｉｎｅｔｉｃ３Ｄカメラが使用されるのが好ましい。カメラ３２は、装飾指爪挿入部２０ａ内に挿入されている装飾指爪Ｕ１の付け爪Ｔを撮影して、装飾指爪Ｕ１の付け爪Ｔの画像である爪画像（爪画像を含む指画像）を得るものである。
【００３２】
撮像装置としてのカメラ３２によって取得された爪画像に基づいて、後述する爪情報検出部５１２が、爪Ｔの形状、爪Ｔの位置、爪Ｔの曲率のうち、少なくともいずれか１つを爪情報として検出するようになっている。この撮影部３０は、後述する制御装置５０の撮影制御部５１１に接続され、該撮影制御部５１１によって制御されるようになっており、撮影部３０によって撮影された画像の画像データは、後述する記憶部５２の爪画像記憶領域５２１に記憶される。
【００３３】
また、印刷部４０は、２本のガイドロッド４１が平行に架設され、このガイドロッド４１には、主キャリッジ４２が摺動自在に設置されている。また、図６に示すように、主キャリッジ４２の前壁４２ａおよび後壁４２ｂには２本のガイドロッド４４が平行に架設されている。このガイドロッド４４には、副キャリッジ４５が摺動自在に設置されている。この副キャリッジ４５の下面中央部には、印刷ヘッド４６が搭載されている。この印刷ヘッド４６は、インクを微滴化し、印刷対象の被印刷面に対し直接に吹き付けて印刷を行うインクジェット方式の印刷ヘッドである。
【００３４】
印刷部４０には、例えば、イエロー（Ｙ；YELLOW）、マゼンタ（Ｍ；MAGENTA）、シアン（Ｃ；CYAN）のインクに対応する印刷ヘッド４６が設けられ、各印刷ヘッド４６は、それぞれの色のインクを噴射する複数のノズルからなるノズルアレイを備えている。印刷ヘッド４６は、装飾指爪Ｕ１の付け爪Ｔの表面に画像（ネイルデザイン）を印刷するもので、印刷ヘッド４６は、後述する爪情報検出部５１２により検出された爪情報に基づいて、装飾指爪Ｕ１の付け爪Ｔに印刷を施すようになっている。また、印刷モードとして、ネイルデザイン自体を印刷する「通常モード」の他に、装飾用のパーツの配置情報を含んだ印刷を行うことができる「貼り付け目安モード」を選択可能となっており、後者の「貼り付け目安モード」が選択されたときは、印刷ヘッド１４６は、爪Ｔの上に配置される装飾用のパーツの配置情報を印刷することができる。
【００３５】
主キャリッジ４２は動力伝達部（図示せず）を介してモータ４３に連結され、モータ４３の正逆回転によって、ガイドロッド４１に沿ってネイルプリント装置１０の左右方向に移動するように構成されている。また、副キャリッジ４５は動力伝達部（図示せず）を介してモータ４７に連結され、モータ４７の正逆回転によって、ガイドロッド４４に沿ってネイルプリント装置１０の前後方向に移動するように構成されている。
【００３６】
印刷部４０は、これらガイドロッド４１、主キャリッジ４２、モータ４３、ガイドロッド４４、副キャリッジ４５、印刷ヘッド４６、モータ４７及びインクカートリッジ４８等を備えて構成され、この印刷部４０のモータ４３、印刷ヘッド４６、モータ４７は、後述する制御装置５０の印刷制御部５１５に接続され、該印刷制御部５１５によって制御されるようになっている。
【００３７】
また、制御装置５０は、例えば上部機枠１１ｂに配置された基板３１等に設置されている。図７は、本実施形態における制御構成を示す要部ブロック図である。
【００３８】
制御装置５０は、図７に示すように、図示しないＣＰＵ（Central Processing Unit）等によって構成されている制御部５１と、ＲＯＭ（Read Only Memory）及びＲＡＭ（Random Access Memory）等で構成されている記憶部５２とを備えるコンピュータである。
【００３９】
記憶部５２には、ネイルプリント装置１０を動作させるための各種プログラムや各種データ等が格納されている。
【００４０】
具体的には、記憶部５２には、例えば、印刷モードに合った印刷データを生成するための印刷データ生成プログラム、爪Ｔの爪情報を検出するための爪情報検出プログラム、印刷処理を行うための印刷プログラム等の各種プログラムが格納されており、制御装置５０はこれらのプログラムを実行してネイルプリント装置１０の各部を制御するようになっている。
【００４１】
また、本実施形態において記憶部５２には、撮影部３０によって取得されたユーザの装飾指爪Ｕ１の付け爪Ｔの爪画像を記憶する爪画像記憶領域５２１、及び爪Ｔに印刷されるネイルデザインの画像データＮＤを記憶するネイルデザイン記憶領域５２２が設けられている。
【００４２】
ネイルデザイン記憶領域５２２には、各ネイルデザインデザインＡ〜ｎを例示）毎に、ネイルデザインの画像データＮＤが格納されている。指の種類ごとにネイルデザインが用意される場合、親指から小指までの爪に統一感のあるネイルデザインを施すことができるように、親指から小指までの爪用に互いに関連するネイルデザインの画像データＮＤがネイルデザイン記憶領域５２２にセットとして用意されていてもよい。また、大きな爪用のネイルデザイン、小さな爪用のネイルデザインというように、ネイルデザインの画像データＮＤをサイズ種類別にネイルデザイン記憶領域５２２に記憶させておき、ユーザが自分の各指の爪の大きさに合ったものを自由に選択して組み合わせられるようにしてもよい。
【００４３】
制御部５１は、機能的に見た場合、撮影制御部５１１、爪情報検出部５１２、印刷データ生成部５１３、表示制御部５１４、印刷制御部５１５等の機能部を含んでいる。これら撮影制御部５１１、爪情報検出部５１２、印刷データ生成部５１３、表示制御部５１４、印刷制御部５１５等としての機能は、制御部５１のＣＰＵと記憶部５２のＲＯＭ等に記憶されたプログラムとの共働によって実現される。撮影制御部５１１は、撮影部３０を制御してユーザの装飾指爪Ｕ１を撮影させ、爪Ｔの爪画像（爪画像を含む指画像）を取得させるものである。撮影部３０によって取得された爪画像は、記憶部５２の爪画像記憶領域５２１に記憶される。
【００４４】
爪情報検出部５１２は、撮像装置であるカメラ３２によって取得された爪画像に基づいて、装飾指爪Ｕ１の付け爪Ｔについての爪情報を検出するものである。
【００４５】
具体的には、爪情報検出部５１２は、カメラ３２により取得された装飾指爪Ｕ１の爪Ｔの爪画像を含む指画像から、爪Ｔの輪郭（形状）や位置を検出し、この輪郭をｘ，ｙ座標等で表される情報として取得する。爪情報検出部５１２が爪Ｔの輪郭（形状）を検出する手法はカメラ３２により取得された装飾指爪Ｕ１の付け爪Ｔの爪画像を含む指画像から付け爪Ｔとそれ以外の指部分との色の違い等に基づいて付け爪Ｔの輪郭（形状）を検出する。
【００４６】
印刷データ生成部５１３は、ユーザが操作部１２等を操作することによって選択された印刷モードに応じた印刷データを生成する。印刷モードとして、ネイルデザイン自体を印刷する「通常モード」の他に、装飾用のパーツの配置情報を含んだ印刷を行うことができる「貼り付け目安モード」を選択可能となっている。
【００４７】
また、印刷データ生成部５１３は、爪情報検出部５１２により検出された爪情報に基づいて、印刷ヘッド４６により装飾指爪Ｕ１の爪Ｔに施される印刷の印刷データを生成する。
【００４８】
具体的には、印刷データ生成部５１３は、爪情報検出部５１２により検出された爪形状に基づいてネイルデザインの画像データＮＤを適宜縮小する等の合せ込み処理を行う。
【００４９】
表示制御部５１４は、表示部１３を制御して、各種の表示画面を表示させるものである。表示制御部５１４は、例えば、装飾指爪Ｕ１を撮影して得られた指画像や、この指画像中に含まれる爪画像（付け爪Ｔの輪郭線等の画像）、付け爪Ｔに印刷すべき画像を選択するためのデザイン選択画面、デザイン確認用のサムネイル画像、各種の指示を表示させる指示画面等を表示部１１３に表示させるようになっている。
【００５０】
印刷制御部５１５は、印刷データ生成部５１３によって生成されたネイルデザインの印刷データを印刷部４０の印刷ヘッド４６に出力し、この印刷データにしたがって印刷ヘッド４６により付け爪Ｔに印刷が施されるように印刷部４０を制御するものである。
【００５１】
したがって、このネイルプリント装置１０により印刷を行う場合、ユーザはまず、電源スイッチを入れて制御装置５０を起動させる。
【００５２】
ユーザが装飾指爪Ｕ１を装飾指爪挿入部２０ａに挿入すると、撮影制御部５１１が撮影部３０を制御して装飾指爪Ｕ１の付け爪Ｔを撮影して爪画像を取得する。爪画像が取得されると、爪情報検出部５１２は、当該爪画像から、爪情報として爪形状（付け爪Ｔの輪郭）を検出する。
【００５３】
また、表示制御部５１４は、表示部１３にデザイン選択画面を表示させ、ユーザは操作部１１２の操作釦１２１等を操作して、デザイン選択画面に表示された複数のネイルデザインの中から所望のネイルデザインを選択することにより、操作部１１２から選択指示信号が出力されて、一つのネイルデザインが決定される（ステップＳ１）。
【００５４】
印刷すべきネイルデザインが決定されると、次に、表示制御部５１４は、表示部１１３に印刷モード選択画面を表示させ（ステップＳ２）、ユーザは操作部１１２の操作釦１２１等を操作して、印刷モード選択画面に表示された複数の印刷モードの中から所望の印刷モードを選択することにより、操作部１１２から選択指示信号が出力されて、印刷モードが決定される。
【００５５】
具体的には、制御部５１は、印刷モードとして「通常モード」が選択されたか否かを判断し（ステップＳ３）、「通常モード」が選択されたと判断した場合（ステップＳ３；ＹＥＳ）には、印刷データ生成部５１３は、ネイルデザインの画像データを抽出するとともに、これらのデータを爪情報検出部５１２によって検出された爪形状（爪Ｔの輪郭）に合わせ込むことで印刷データを生成する。
【００５６】
印刷データ生成部５１３により生成された印刷データは、印刷制御部５１５を介して印刷ヘッド４６に送られ、当該印刷データに基づいて完成イメージそのままの画像が爪Ｔに印刷される（ステップＳ４）。
【００５７】
印刷処理が完了すると、ユーザは、ネイルプリント装置１０から装飾指爪Ｕ１を抜き取り、印刷された貼り付け位置目安にしたがって、装飾用のパーツを付け爪Ｔの上に貼り付け、ネイルデザインを完成させる。
【００５８】
以上のように、ネイルプリント装置１０によれば、印刷ヘッド４６により、付け爪Ｔの上に配置される装飾用のパーツの配置情報が印刷される。これにより、装飾用のパーツの貼り付け位置を付け爪Ｔの上で確認することができるため、見本等と見比べながら貼り付け作業を行う場合と比較して、誰でも容易に、デザイン的に最適な配置にパーツを貼り付けることができ、ラインストーン等の装飾用のパーツによるデコレーションを施したネイルアートを手軽に楽しむことができる。
【００５９】
また、爪情報検出部５１２により、爪画像に基づいて、爪情報として爪の形状、爪の位置、爪の曲率のうち、少なくともいずれか１つを検出するため、ユーザの付け爪Ｔに合わせて印刷することができ、塗り残しやはみ出しのないきれいな印刷を実現することができる。
【符号の説明】
【００６０】
１０    ネイルプリント装置
１２    ケース本体
２０ａ  装飾指爪挿入部
３０    撮影部
４６    印刷ヘッド
５０    制御装置
５１    制御部
５２    記憶部
５１２  爪情報検出部
５１３  印刷データ生成部
５１５  印刷制御部
５２１  爪画像記憶領域
５２２  ネイルデザイン記憶領域
Ｔ      付け爪
Ｕ１    付け爪装飾指爪
【図１】
2017018158.tif 000004
【図２Ａ】
2017018158.tif 000005
【図２Ｂ】
2017018158.tif 000006
【図２Ｃ】
2017018158.tif 000007
【図２Ｄ】
2017018158.tif 000008
【図３Ａ】
2017018158.tif 000009
【図３Ｂ】
2017018158.tif 000010
【図４】
2017018158.tif 000011
【図５】
2017018158.tif 000012
【図６】
2017018158.tif 000013
【図７】
2017018158.tif 000014